(57)【要約】【課題】第１レンズ群のコンパクトな収納を可能としつつ、組立て工数を削減でき、組立て後に高い光学的精度が得られるようにする。【解決手段】第１レンズ群２１を保持する第１レンズ枠５３と、第１レンズ枠５３を撮影位置と収納位置との間で移動させる第１移動枠５４と、第１レンズ枠５３を第１移動枠５４に向けて付勢する位置調整バネ５２と、第１移動枠５４に対して回転可能なガイドリング５１と、第１レンズ群２１の後方の第２レンズ群を保持する第２レンズ枠とを備え、第１レンズ枠５３は、ガイドリング５１の回転によって第１移動枠５４との当接位置が変化することで、光軸２０ａ方向の位置を調整可能に設けられ、第２レンズ枠は、収納位置で第１レンズ群２１と第２レンズ群とが接触しないように、位置調整バネ５２の付勢に抗して第１レンズ枠５３と第１移動枠５４とを離間させるように設けられている。【選択図】図１３
2011138076.tif 000002
【特許請求の範囲】
【請求項１】
光軸方向の物体側に配置された第１撮像レンズと、
前記第１撮像レンズを保持する第１レンズ枠と、
前記第１レンズ枠を物体側の撮影位置と撮影位置よりも光軸方向後方の収納位置との間で移動させるとともに、撮影位置で前記第１レンズ枠と当接する移動枠と、
前記第１レンズ枠を前記移動枠に向けて付勢する位置調整バネと、
前記位置調整バネを保持するとともに、前記移動枠に対して相対的に回転可能に設けられたガイドリングと、
前記第１撮像レンズよりも光軸方向後方に配置された第２撮像レンズと、
前記第２撮像レンズを保持する第２レンズ枠と
を備え、
前記第１レンズ枠は、前記ガイドリングの回転によって前記移動枠との当接位置が変化することで、前記移動枠に対する光軸方向の位置を調整可能に設けられ、
前記第２レンズ枠は、前記第１レンズ枠の調整位置にかかわらず、前記移動枠の移動によって前記第１レンズ枠を収納位置にしたとき、前記第１撮像レンズと前記第２撮像レンズとが接触しないように、前記位置調整バネの付勢に抗して前記第１レンズ枠と前記移動枠とを離間させるように設けられている
レンズ鏡筒。
【請求項２】
請求項１に記載のレンズ鏡筒において、
前記第１レンズ枠は、前記移動枠との当接部を備え、
前記移動枠は、前記当接部と当接可能に形成され、光軸方向に段差を有する階段部を備える
レンズ鏡筒。
【請求項３】
請求項１に記載のレンズ鏡筒において、
前記移動枠は、前記第１レンズ枠との当接部を備え、
前記第１レンズ枠は、前記当接部と当接可能に形成され、光軸方向に段差を有する階段部を備える
レンズ鏡筒。
【請求項４】
請求項１に記載のレンズ鏡筒において、
前記ガイドリングは、前記第１レンズ枠を光軸方向に移動可能で、かつ回転方向に移動不可能に保持する保持部を備える
レンズ鏡筒。
【請求項５】
光軸方向の物体側に配置された第１撮像レンズと、
前記第１撮像レンズを保持する第１レンズ枠と、
前記第１レンズ枠を物体側の撮影位置と撮影位置よりも光軸方向後方の収納位置との間で移動させるとともに、撮影位置で前記第１レンズ枠と当接する移動枠と、
前記第１レンズ枠を前記移動枠に向けて付勢する位置調整バネと、
前記位置調整バネを保持するとともに、前記移動枠に対して相対的に回転可能に設けられたガイドリングと、
前記第１撮像レンズよりも光軸方向後方に配置された第２撮像レンズと、
前記第２撮像レンズを保持する第２レンズ枠と
を備え、
前記第１レンズ枠は、前記ガイドリングの回転によって前記移動枠との当接位置が変化することで、前記移動枠に対する光軸方向の位置を調整可能に設けられ、
前記第２レンズ枠は、前記第１レンズ枠の調整位置にかかわらず、前記移動枠の移動によって前記第１レンズ枠を収納位置にしたとき、前記第１撮像レンズと前記第２撮像レンズとが接触しないように、前記位置調整バネの付勢に抗して前記第１レンズ枠と前記移動枠とを離間させるように設けられている
撮像装置。
【発明の詳細な説明】
【技術分野】
【０００１】
本発明は、最も物体側に配置された第１撮像レンズを物体側の撮影位置と収納位置との間で移動できるようにしたレンズ鏡筒及び撮像装置に関する。
【背景技術】
【０００２】
デジタルビデオカメラやデジタルスチルカメラ等の撮像装置は、従来から、撮像レンズによって被写体像を結像させ、撮像レンズの後部に配置されたＣＣＤ（Charge Coupled Device Image Sensor）イメージセンサやＣＭＯＳ（Complementary Metal Oxide Semiconductor ）イメージセンサ等の撮像素子によって被写体像を撮像している。そして、撮像装置の小型化を図るため、複数の撮像レンズからなるレンズ群を物体側の撮影位置と収納位置との間で移動できるようにしたレンズ鏡筒が知られている。
【０００３】
ここで、２群以上のレンズ群が撮影位置と収納位置との間を移動できるレンズ鏡筒の場合、レンズ鏡筒を沈胴させて前後のレンズ群をそれぞれの収納位置に移動させる際は、収納位置にある前後のレンズ群の撮像レンズ同士が接触しないようにする必要がある。そのため、収納位置にある前後のレンズ群の間に、一定の隙間を形成する必要がある。
【０００４】
また、レンズ群をその支持枠に取り付ける際には、一部のレンズ群と支持枠との取付け位置を光軸方向に調整する必要がある。そのため、このレンズ群の調整寸法分だけ、このレンズ群の収納位置と、隣り合うレンズ群の収納位置との間に、調整用のマージンスペースを設ける必要がある。
【０００５】
このように、レンズ群同士の接触を回避し、しかも、レンズ群の調整用マージンスペースを設ける必要から、従来のレンズ鏡筒では、前後のレンズ群をコンパクトに収納することが難しかった。
【０００６】
そこで、第１レンズ枠を移動枠に螺合させて取り付けるようにし、組立て調整時に、移動枠に対する第１レンズ枠の螺合位置を調整することにより、第１撮像レンズの光軸方向の位置を調整できるようにした技術が知られている。そして、光軸方向の調整位置にかかわらず、収納位置では、第１撮像レンズと第２撮像レンズとを接触させることなく、第１レンズ枠と第２レンズ枠とを機械的に接触させることにより、第１撮像レンズのコンパクトな収納を可能としている。
【先行技術文献】
【特許文献】
【０００７】
【特許文献１】特開２００２−２８６９８８号公報
【発明の概要】
【発明が解決しようとする課題】
【０００８】
しかし、上記の特許文献１の技術では、第１レンズ枠を移動枠に螺合させるため、ネジ嵌合部の遊びによるチルトやガタが発生し、光学的精度の低下が避けられない。また、螺合位置の調整は、組立て工数の増加を招くという問題もある。
【０００９】
したがって、本発明が解決しようとする課題は、第１撮像レンズのコンパクトな収納を可能としつつ、組立て工数を削減でき、組立て後に高い光学的精度が得られるようにすることである。
【課題を解決するための手段】
【００１０】
本発明は、以下の解決手段により、上述の課題を解決する。
請求項１に記載の発明は、光軸方向の物体側に配置された第１撮像レンズと、前記第１撮像レンズを保持する第１レンズ枠と、前記第１レンズ枠を物体側の撮影位置と撮影位置よりも光軸方向後方の収納位置との間で移動させるとともに、撮影位置で前記第１レンズ枠と当接する移動枠と、前記第１レンズ枠を前記移動枠に向けて付勢する位置調整バネと、前記位置調整バネを保持するとともに、前記移動枠に対して相対的に回転可能に設けられたガイドリングと、前記第１撮像レンズよりも光軸方向後方に配置された第２撮像レンズと、前記第２撮像レンズを保持する第２レンズ枠とを備え、前記第１レンズ枠は、前記ガイドリングの回転によって前記移動枠との当接位置が変化することで、前記移動枠に対する光軸方向の位置を調整可能に設けられ、前記第２レンズ枠は、前記第１レンズ枠の調整位置にかかわらず、前記移動枠の移動によって前記第１レンズ枠を収納位置にしたとき、前記第１撮像レンズと前記第２撮像レンズとが接触しないように、前記位置調整バネの付勢に抗して前記第１レンズ枠と前記移動枠とを離間させるように設けられているレンズ鏡筒である。
【００１１】
また、請求項５に記載の発明は、請求項１に記載の発明と同様の第１撮像レンズ、第１レンズ枠、移動枠、位置調整バネ、ガイドリング、第２撮像レンズ、及び第２レンズ枠を備える撮像装置である。
【００１２】
（作用）
上記の請求項１及び請求項５に記載の発明は、ガイドリングの回転によって第１レンズ枠と移動枠との当接位置が変化し、移動枠に対する第１レンズ枠の光軸方向の位置が調整される。そのため、第１レンズ枠は、移動枠との当接によって確実に位置決めされることとなる。また、第２レンズ枠は、第１レンズ枠の調整位置にかかわらず、収納位置では、第１レンズ枠と移動枠とを離間させるように作用し、第１撮像レンズと第２撮像レンズとの接触を回避する。
【発明の効果】
【００１３】
本発明によれば、ガイドリングを回転させるだけで第１レンズ枠と移動枠との当接位置が変化し、その当接によって第１レンズ枠が位置決めされるので、第１レンズ枠の組立てが簡単になり、組立て後も高い光学的精度が得られる。また、収納位置でも第１撮像レンズと第２撮像レンズとが接触することなく、第１撮像レンズのコンパクトな収納が可能となる。
【図面の簡単な説明】
【００１４】
【図１】本発明の撮像装置の一実施形態としての、デジタルスチルカメラの構成を示す正面図である。
【図２】図１に示すデジタルスチルカメラのレンズ鏡筒を示す斜視図及び断面図であり、ワイド撮影時の繰出し状態を示す。
【図３】図１に示すデジタルスチルカメラのレンズ鏡筒を示す斜視図及び断面図であり、テレ撮影時の繰出し状態を示す。
【図４】図２及び図３に示すレンズ鏡筒のＡ部（第１レンズ枠と第１移動枠との当接部）を拡大して示す断面図である。
【図５】図１に示すデジタルスチルカメラのレンズ鏡筒を示す斜視図及び断面図であり、非撮影時の沈胴状態を示す。
【図６】図５に示すレンズ鏡筒のＢ部（第１レンズ枠と第１移動枠との当接部）を拡大して示す断面図である。
【図７】本発明のレンズ鏡筒の一実施形態としての、デジタルスチルカメラ用のレンズ鏡筒（第１の実施の形態）の主要部を示す分解斜視図である。
【図８】図７に示すレンズ鏡筒のガイドリングを示す斜視図である。
【図９】図７に示すレンズ鏡筒の第１レンズ枠を示す斜視図である。
【図１０】図７に示すレンズ鏡筒の第１移動枠を示す斜視図である。
【図１１】図７に示すレンズ鏡筒の第２移動枠を示す斜視図である。
【図１２】本発明のレンズ鏡筒の一実施形態としての、デジタルスチルカメラ用のレンズ鏡筒（第１の実施の形態）において、第１レンズ枠の位置調整の初期段階を示す正面図及び断面図である。
【図１３】本発明のレンズ鏡筒の一実施形態としての、デジタルスチルカメラ用のレンズ鏡筒（第１の実施の形態）において、第１レンズ枠の位置調整例（１例）を示す正面図及び断面図である。
【図１４】本発明のレンズ鏡筒の一実施形態としての、デジタルスチルカメラ用のレンズ鏡筒（第１の実施の形態）において、第１レンズ枠の位置調整例（他の１例）を示す正面図及び断面図である。
【図１５】本発明のレンズ鏡筒の一実施形態としての、デジタルスチルカメラ用のレンズ鏡筒（第２の実施の形態）において、第１レンズ枠の位置調整例（２例）を示す断面図である。
【発明を実施するための形態】
【００１５】
以下、図面を参照して、本発明を実施するための形態について説明する。
ここで、本発明における撮像装置は、以下の実施の形態では、デジタルスチルカメラ１０であるとする。また、本発明におけるレンズ鏡筒は、以下の実施の形態では、デジタルスチルカメラ１０用のレンズ鏡筒２０であるとする。
なお、説明は、以下の順序で行う
１．第１の実施の形態（レンズ鏡筒：第１レンズ枠及び第１移動枠の構成例）
２．第２の実施の形態（レンズ鏡筒：第１レンズ枠及び第１移動枠の他の構成例）
【００１６】
［撮像装置の外観例］
図１は、本発明の撮像装置の一実施形態としての、デジタルスチルカメラ１０の構成を示す正面図である。
図１に示すように、デジタルスチルカメラ１０は、外装を構成する直方体状のボディ１１を備えている。また、ボディ１１の右寄りには、レンズ鏡筒２０が組み込まれている。そして、図１に示す非撮影時は、レンズ鏡筒２０の前面側がバリアユニット４０によって覆われている。
なお、図１に示すデジタルスチルカメラ１０において、左右とは、図１に示す前面側から見た左右を言うものとする。
【００１７】
また、レンズ鏡筒２０の左上には、例えばストロボ発光ユニット１２が内蔵され、ストロボ発光ユニット１２の左隣には、例えばスイッチユニット１３が内蔵されている。さらにまた、レンズ鏡筒２０の右側には、例えばＡＦ（Auto Focus）補助光ユニット１４が内蔵され、レンズ鏡筒２０の左側には、例えばバッテリ１５が内蔵されている。さらに、レンズ鏡筒２０の右下には、例えばコンデンサマイク１６が内蔵されている。
【００１８】
［レンズ鏡筒の外観例］
図２は、図１に示すデジタルスチルカメラ１０のレンズ鏡筒２０を示す斜視図及び断面図であり、ワイド撮影時の繰出し状態を示す。
また、図３は、図１に示すデジタルスチルカメラ１０のレンズ鏡筒２０を示す斜視図及び断面図であり、テレ撮影時の繰出し状態を示す。
さらにまた、図４は、図２及び図３に示すレンズ鏡筒のＡ部（第１レンズ枠５３と第１移動枠５４との当接部）を拡大して示す断面図である。
図２及び図３に示すように、レンズ鏡筒２０の撮影光学系は、物体（被写体）側から順に配置された第１レンズ群２１（本発明における第１撮像レンズに相当）、第２レンズ群２２（本発明における第２撮像レンズに相当）、自動露光装置２４、第３レンズ群２３、及び撮像素子２５によって構成される。
なお、撮像素子２５としては、例えば、ＣＣＤイメージセンサやＣＭＯＳイメージセンサ等が使用される。
【００１９】
ここで、光軸２０ａ方向の最も物体側に配置された第１レンズ群２１は、第１レンズ枠５３によって保持されている。また、第１レンズ枠５３は、第１移動枠５４（本発明における移動枠に相当）により、物体側の撮影位置と、撮影位置よりも光軸２０ａ方向後方の収納位置との間を移動可能となっている。そして、図２及び図３に示す撮影時は、光軸２０ａ方向に固定された撮像素子２５に対し、第１レンズ群２１（第１レンズ枠５３）が第１移動枠５４によって繰り出され、物体側の撮影位置に移動する。
なお、このとき、バリアユニット４０が開くように作動し、第１レンズ群２１の前面側を開放する。
【００２０】
さらに、図４に示すように、第１レンズ枠５３は、ガイドリング５１に保持された位置調整バネ５２によって第１移動枠５４に向けて付勢されている。そして、第１レンズ枠５３の撮影位置（図２及び図３参照）では、第１移動枠５４の階段部５４ｃに第１レンズ枠５３が当接する。そのため、第１レンズ枠５３（第１レンズ群２１）は、その当接位置（階段部５４ｃの上面）で位置決めされることとなる。
【００２１】
また、図２及び図３に示すように、第１レンズ群２１よりも光軸２０ａ方向後方に配置された第２レンズ群２２は、第２移動枠５５（本発明における第２レンズ枠に相当）に保持されている。そのため、第２レンズ群２２は、第２移動枠５５に保持されるとともに、光軸２０ａ方向に移動可能となっている。これにより、撮影時は、撮影位置にある第１レンズ群２１に対して第２レンズ群２２を所定量移動させることで、光学系のズーミング動作を行うことができる。そして、図２に示すワイド撮影時の状態や図３に示すテレ撮影時の状態となる。
【００２２】
また、自動露光装置２４は、シャッタ機能及びアイリス機能を有する光量調整装置であり、光軸２０ａ方向に相対移動可能に保持されるとともに、バネ２６によって第２レンズ群２２から離れる方向に付勢されている。そして、図２及び図３に示す撮影時には、バネ２６の付勢によって自動露光装置２４と第２レンズ群２２とが光軸２０ａ方向に離れるように相対移動する。そのため、第２レンズ群２２は、自動露光装置２４の開口から退避するようになる。
【００２３】
さらにまた、第３レンズ群２３も、光軸２０ａ方向に移動可能となっている。そして、第３レンズ群２３を所定量移動させることにより、光学系のフォーカシング動作を行うことができる。
なお、第１レンズ群２１の繰出し、第２レンズ群２２の移動によるズーミング動作、及びバリアユニット４０の開閉は、１つの駆動モータ（図示せず）の駆動によって行われ、第３レンズ群２３の移動によるフォーカシング動作等は、別の駆動モータ（図示せず）の駆動によって行われる。
【００２４】
図５は、図１に示すデジタルスチルカメラ１０のレンズ鏡筒２０を示す斜視図及び断面図であり、非撮影時の沈胴状態を示す。
また、図６は、図５に示すレンズ鏡筒２０のＢ部（第１レンズ枠５３と第１移動枠５４との当接部）を拡大して示す断面図である。
図５に示すように、レンズ鏡筒２０は、沈胴式となっている。具体的には、図５に示す非撮影時は、第１移動枠５４及び第２移動枠５５の移動により、図２及び図３に示す撮影時の繰出し状態から沈胴状態となる。
【００２５】
沈胴状態では、第１レンズ枠５３（第１レンズ群２１）が撮影位置よりも光軸２０ａ方向後方の収納位置に移動するが、収納位置では、第１レンズ枠５３が第２移動枠５５の突起５５ａに当接する。そのため、突起５５ａの当接により、第１レンズ枠５３は、図６に示すように、位置調整バネ５２の付勢に抗して第１移動枠５４の階段部５４ｃから離間する。これにより、第１レンズ枠５３を収納位置（図５参照）に移動させても、第１レンズ群２１と第２レンズ群２２との接触が回避され、かつ第１レンズ群２１のコンパクトな収納が可能となる。
【００２６】
また、図５に示す非撮影時には、自動露光装置２４の開口に第２レンズ群２２の一部が収納される。そのため、第２レンズ群２２と第３レンズ群２３との間隔が小さくなり、これによっても非撮影時のレンズ鏡筒２０がコンパクト化される。
なお、非撮影時には、第１レンズ群２１の前面側がバリアユニット４０によって保護される。
【００２７】
［レンズ鏡筒の構成例］
図７は、本発明のレンズ鏡筒の一実施形態としての、デジタルスチルカメラ用のレンズ鏡筒２０（第１の実施の形態）の主要部を示す分解斜視図である。
図７に示すように、レンズ鏡筒２０は、被写体側から順に、化粧リング３１、バリアユニット４０、ガイドリング５１、位置調整バネ５２、第１レンズ群２１を保持する第１レンズ枠５３、第１レンズ枠５３を移動させる第１移動枠５４、第２レンズ群２２を保持しつつ移動させる第２移動枠５５、直進案内環５６、回転環５７、固定環３２、及び後部鏡筒３３等を備えている。
なお、図７では、説明の便宜のため、図２、図３、及び図５に示す第３レンズ群２３等の図示を省略している。
【００２８】
ここで、化粧リング３１は、第１移動枠５４に固定されてレンズ鏡筒２０の体裁を整えるとともに、バリアカバー４１、バリア羽根４２、バリア駆動バネ４３、及びバリア駆動部材４４からなるバリアユニット４０を保護する。化粧リング３１の固定は、第１移動枠５４に固定されたバリアカバー４１の前面に剥離紙付きの両面テープを貼り付け、剥離紙を剥がした後、化粧リング３１を第１移動枠５４に被せることによって行う。そして、両面テープの粘着力により、バリアカバー４１を介して第１移動枠５４に強固に固定している。
なお、化粧リング３１の材質としては、アルミニウム合金やステンレス鋼等の各種の金属が好適であるが、エンジニアリングプラスチックを用いることもできる。
【００２９】
バリアユニット４０は、非撮影時に、撮影開口である光路を閉じて撮影光学系を保護する。具体的には、第１レンズ群２１の前部に配置されたバリアカバー４１には、第１レンズ群２１等に光を入射させるための撮影用の開口４１ａが形成されている。そして、バリアカバー４１とバリア羽根４２との間に取り付けられたバリア駆動バネ４３と、バリア駆動部材４４とにより、バリア羽根４２の開閉機構が構成される。
【００３０】
このようなバリアユニット４０において、バリア駆動部材４４は、第１レンズ枠５３（第１レンズ群２１）の撮影位置と収納位置との切替えに応じてバリア羽根４２を開閉駆動する。例えば、第１レンズ枠５３を撮影位置（図２参照）にすると、バリア駆動部材４４が矢印Ｂ方向に回転してバリア羽根４２を開き、バリアカバー４１の開口４１ａを開放して第１レンズ群２１等に光を入射させる。逆に、第１レンズ枠５３を収納位置（図５参照）にすると、バリア駆動部材４４が矢印Ａ方向に回転してバリア羽根４２を閉じ、バリアカバー４１の開口４１ａを閉鎖して第１レンズ群２１を保護する。
【００３１】
第１レンズ群２１は、第１レンズ枠５３に保持されている。そして、第１レンズ枠５３は、ガイドリング５１と第１レンズ枠５３との間に介装された位置調整バネ５２により、第１移動枠５４に向けて付勢されている。具体的には、位置調整バネ５２は、ガイドリング５１に保持されている。さらに、ガイドリング５１は、第１移動枠５４にバヨネット嵌合することにより、第１移動枠５４に対して回転可能であるが、光軸２０ａ方向には固定されている。そのため、第１レンズ枠５３は、ガイドリング５１と第１移動枠５４との間に位置して、位置調整バネ５２の付勢により、第１移動枠５４に当接する。
【００３２】
また、第２レンズ群２２は、第１レンズ群２１よりも光軸２０ａ方向後方に配置され、第２移動枠５５に保持されている。そして、第１移動枠５４及び第２移動枠５５には、それぞれ３箇所ずつカムピンが設けられており、光軸２０ａ周りに回転可能な回転環５７の内周側に設けられた３箇所のカム溝とそれぞれ係合するようになっている。さらに、第１移動枠５４及び第２移動枠５５は、回転環５７の回転によって同時に連れ回らないように、直進案内環５６の直進溝とも係合している。
【００３３】
ここで、回転環５７と直進案内環５６とは、バヨネット嵌合することにより、回転環５７の回転に対し、直進案内環５６が規制されることなく直進移動可能となっている。さらに、回転環５７の光軸２０ａ方向への移動に対しては、直進案内環５６も一体となって移動する。具体的には、回転環５７にカムピンが３箇所設けられており、固定環３２の内周側に設けられた３箇所のカム溝とそれぞれ嵌合する。そして、回転環５７が固定環３２に対して回転するに伴って、回転環５７は、固定環３２のカム溝の軌跡に沿って光軸２０ａ方向に移動する。また、直進案内環５６は、固定環３２と嵌合するための凸部が５箇所に設けられており、その５箇所の凸部と固定環３２に設けられた５箇所の直進溝とがそれぞれ嵌合する。そのため、直進案内環５６は、固定環３２に対して光軸２０ａ方向への移動のみが可能となり、回転方向への移動が規制されている。
【００３４】
したがって、回転環５７を回転させると、回転環５７は、固定環３２に対して回転しながら光軸２０ａ方向に移動する。また、直進案内環５６は、回転せずに回転環５７と一体となって光軸２０ａ方向に移動する。さらにまた、第１移動枠５４及び第２移動枠５５は、回転せずに回転環５７のカム溝に沿って光軸２０ａ方向に移動する。その結果、第１移動枠５４は、回転環５７の回転とその位置に応じて、光軸２０ａ方向に移動して沈胴又は繰出しする。さらに、第２移動枠５５は、回転環５７の回転とその位置に応じて、光軸２０ａ方向に移動してズーミング（ワイド撮影又はテレ撮影）を実現する。
なお、回転環５７を一方向に回転させると、最初に第１移動枠５４が沈胴位置から繰出し、次に第２移動枠５５が沈胴位置からワイド端を経由してテレ端まで移動する。逆に、回転環５７を反対方向に回転させると、最初に第２移動枠５５がテレ端からワイド端を経由して沈胴し、次に第１移動枠５４が繰出し位置から沈胴する。
【００３５】
また、固定環３２は、後部鏡筒３３に保持され、後部鏡筒３３には、カム面３３ａが形成されている。このカム面３３ａは、バリア駆動部材４４に形成されたカム面４４ａに当接する。そして、第１移動枠５４の移動によって後部鏡筒３３との間隔が狭まると、カム面３３ａとカム面４４ａとの当接により、バリア駆動バネ４３を漸次的にチャージしながらバリア駆動部材４４が矢印Ａ方向に回転し、バリア羽根４２を閉じる。逆に、第１移動枠５４の移動によって後部鏡筒３３との間隔が広がると、カム面３３ａとカム面４４ａとが離れるので、バリア駆動バネ４３のチャージが漸次的に開放されてバリア駆動部材４４が矢印Ｂ方向に回転し、バリア羽根４２を開く。
【００３６】
このように、回転環５７の回転とその位置に応じて第１移動枠５４が繰出し又は沈胴し、バリア羽根４２を開閉する。また、回転環５７の回転とその位置に応じて第２移動枠５５がテレ方向又はワイド方向に移動し、ズーミング動作が行われる。そのため、回転環５７の外周面には、歯車列が形成されており、固定環３２と後部鏡筒３３との間に固定された駆動モータ（図示せず）の駆動により、回転環５７が回転するようになっている。
なお、駆動モータの回転駆動力は、複数の減速ギヤを介して回転環５７を回転させる減速駆動ユニットによって伝達される。
【００３７】
＜１．第１の実施の形態＞
［レンズ鏡筒における第１レンズ枠及び第１移動枠の構成例］
図８は、図７に示すレンズ鏡筒２０のガイドリング５１を示す斜視図である。
また、図９は、図７に示すレンズ鏡筒２０の第１レンズ枠５３を示す斜視図である。
さらにまた、図１０は、図７に示すレンズ鏡筒２０の第１移動枠５４を示す斜視図である。
さらに、図１１は、図７に示すレンズ鏡筒２０の第２移動枠５５を示す斜視図である。
ここで、図８に示すガイドリング５１と図９に示す第１レンズ枠５３（上図に示す側）とが対向するように配置され、図９に示す第１レンズ枠５３（下図に示す側）と図１０に示す第１移動枠５４とが対向するように配置される。そして、図１１に示す第２移動枠５５は、図１０に示す第１移動枠５４を介して、図９に示す第１レンズ枠５３（下図に示す側）と対向するように配置される。
【００３８】
図８に示すように、ガイドリング５１は、第１レンズ枠５３（図７参照）側に、位置調整バネ５２（図７参照）を保持するためのバネ保持部５１ａを有している。また、図９の上図に示すように、第１レンズ枠５３は、ガイドリング５１（図７参照）側に、位置調整バネ５２を保持するためのバネ保持ボス５３ａを有している。そのため、ガイドリング５１と第１レンズ枠５３との間に位置調整バネ５２が保持される。
【００３９】
また、図８に示すように、ガイドリング５１は、ガイド溝５１ｂ（本発明における保持部に相当）を有しており、図９に示すように、第１レンズ枠５３は、ガイド溝５１ｂに対応するフランジ５３ｂを有している。そして、ガイド溝５１ｂにフランジ５３ｂが嵌合するようになっている。そのため、ガイドリング５１は、第１レンズ枠５３を光軸２０ａ（図７参照）方向に移動可能で、かつ回転方向に移動不可能に保持する。
なお、ガイド溝５１ｂ及びフランジ５３ｂは、それぞれが角度１２０°の等間隔で配置されているので、互いの位相が１２０°回転した状態であっても嵌合できる。
【００４０】
さらにまた、図８に示すように、ガイドリング５１は、バヨネット溝５１ｃ及び回転規制突起５１ｄを有している。さらに、図１０に示すように、第１移動枠５４は、ガイドリング５１をバヨネット嵌合するためのバヨネット爪５４ａと、回転規制突起５１ｄに対応して内周に設けられた回転位置決め凹部５４ｂとを有している。そのため、バヨネット溝５１ｃをバヨネット爪５４ａに挿入した後にガイドリング５１を回転させれば、バヨネット嵌合により、ガイドリング５１は、第１移動枠５４に対して、光軸２０ａ（図７参照）方向には規制されながら回転可能に取り付けられることとなる。
【００４１】
取り付けられたガイドリング５１は、回転規制突起５１ｄと回転位置決め凹部５４ｂとの嵌合により、自由回転が規制されるとともに回転位置が決められる。さらに、ガイドリング５１が第１移動枠５４に取り付けられると、第１レンズ枠５３（図９参照）は、位置調整バネ５２（図７参照）により、第１移動枠５４に向けて付勢される。
なお、第１移動枠５４は、ガイドリング５１の取付けの便宜等のため、取付け凹部５４ｅ及びストッパ５４ｆを有している。また、ガイドリング５１と第１移動枠５４とは、相対的に回転可能であればよい。
【００４２】
ここで、図９の下図に示すように、第１レンズ枠５３は、フランジ５３ｂの第１移動枠５４側に、第１移動枠５４との当接部５３ｃを備えている。また、第１レンズ枠５３の外周面には、補正部５３ｄが形成されている。さらにまた、図１０に示すように、第１移動枠５４は、第１レンズ枠５３の当接部５３ｃ（図９参照）と当接可能に形成され、光軸２０ａ（図７参照）方向に段差を有する階段部５４ｃを備えている。さらに、第１移動枠５４は、第１レンズ枠５３の補正部５３ｄ（図９参照）に対応する補正部５４ｄを有している。
【００４３】
したがって、第１移動枠５４の移動によって図９に示す第１レンズ枠５３（第１レンズ群２１）が撮影位置にあるときは、位置調整バネ５２（図７参照）の付勢により、第１レンズ枠５３の当接部５３ｃと第１移動枠５４の階段部５４ｃとが当接する。そして、第１レンズ枠５３の光軸２０ａ方向が位置決めされる（図４参照）。
なお、ラジアル方向は、第１レンズ枠５３の補正部５３ｄと第１移動枠５４の補正部５４ｄとが常に嵌合することによって定められる。
【００４４】
また、第１レンズ枠５３は、ガイドリング５１（図８参照）によって回転が規制されているため、ガイドリング５１を回転させると、同時に第１レンズ枠５３も回転する。このとき、第１レンズ枠５３の当接部５３ｃは、第１移動枠５４の階段部５４ｃを上下して当接位置が変化する。そのため、第１移動枠５４に対する第１レンズ枠５３の光軸２０ａ（図７参照）方向の位置を調整できる。
【００４５】
さらにまた、図９の下図に示すように、第１レンズ枠５３は、第１移動枠５４側に背面座部５３ｅを有しており、図１１に示すように、第２移動枠５５は、突起５５ａを有している。そして、第１レンズ枠５３の調整位置（第１レンズ枠５３の当接部５３ｃと、図１０に示す第１移動枠５４の階段部５４ｃとの当接位置）にかかわらず、第１移動枠５４の移動によって第１レンズ枠５３（第１レンズ群２１）を収納位置にしたときは、突起５５ａが背面座部５３ｅを押圧する。そのため、突起５５ａは、位置調整バネ５２の付勢に抗して第１レンズ枠５３と第１移動枠５４とを離間させる（図６参照）。したがって、図５に示すように、第１レンズ枠５３が収納位置になっても、第１レンズ群２１と第２レンズ群２２とが接触することはない。その結果、第１レンズ枠５３の位置調整用のマージンスペースを設けることなく、第１レンズ枠５３をコンパクトに収納できる。
次に、第１レンズ枠５３の組立て及び位置調整の手順と方法について説明する。
【００４６】
図１２は、本発明のレンズ鏡筒の一実施形態としての、デジタルスチルカメラ用のレンズ鏡筒２０（第１の実施の形態）において、第１レンズ枠５３の位置調整の初期段階を示す正面図及び断面図である。
また、図１３は、本発明のレンズ鏡筒の一実施形態としての、デジタルスチルカメラ用のレンズ鏡筒２０（第１の実施の形態）において、第１レンズ枠５３の位置調整例（１例）を示す正面図及び断面図である。
さらにまた、図１４は、本発明のレンズ鏡筒の一実施形態としての、デジタルスチルカメラ用のレンズ鏡筒２０（第１の実施の形態）において、第１レンズ枠５３の位置調整例（他の１例）を示す正面図及び断面図である。
ここで、第１レンズ枠５３は、第１レンズ群２１を保持しており、ガイドリング５１を回転させることによって第１レンズ枠５３（第１レンズ群２１）とガイドリング５１とが一体的に回転する。
【００４７】
このような第１レンズ枠５３の組立ては、最初に、図１２の下図に示すように、第１レンズ枠５３のフランジ５３ｂの一面に形成された当接部５３ｃを第１移動枠５４の取付け凹部５４ｅに位置合せして挿入する。次に、第１レンズ枠５３のフランジ５３ｂの反対面に形成されたバネ保持ボス５３ａとガイドリング５１のバネ保持部５１ａとの間に位置調整バネ５２を装着する。そして、ガイドリング５１と第１移動枠５４とのバヨネット位相を合わせ、ガイドリング５１を第１移動枠５４に挿入する。
【００４８】
その後、図１２に示す状態（第１レンズ枠５３の取付け位置）からガイドリング５１を反時計周りに回転させれば、その回転位置に応じて第１レンズ枠５３の光軸２０ａ方向の位置が調整される。例えば、図１３に示すように、ガイドリング５１を第１移動枠５４の回転位置決め凹部５４ｂの２つ分だけ回転させたとする。この場合、第１レンズ枠５３の当接部５３ｃが第１移動枠５４の階段部５４ｃを２段上がり、ガイドリング５１と第１レンズ枠５３との間隔は、階段部５４ｃの２段目の高さに応じて狭くなる。
【００４９】
同様に、図１２に示す状態からガイドリング５１を反時計周りに回転させ、図１４に示すように、第１移動枠５４の回転位置決め凹部５４ｂの６つ分だけ移動させると、第１レンズ枠５３の当接部５３ｃが第１移動枠５４の階段部５４ｃの６段目に移動する。そのため、第１レンズ枠５３は、図１３に示す状態よりももっとガイドリング５１側に近くなるように位置調整される。
なお、第１レンズ枠５３は、位置調整バネ５２によって第１移動枠５４に向けて付勢されているので、階段部５４ｃのどの段であっても、当接部５３ｃは、階段部５４ｃに当接する。
【００５０】
このように、第１の実施の形態では、第１移動枠５４に６段の階段部５４ｃが設けられており、第１レンズ枠５３の光軸２０ａ方向の位置を６段階で調整できる。そして、ガイドリング５１は、第１移動枠５４に設けられたバヨネット爪５４ａと当接するストッパ５１ｅを有しており、第１移動枠５４は、第１レンズ枠５３のフランジ５３ｂと当接するストッパ５４ｆを有している。そのため、図１４に示す状態（第１レンズ枠５３の調整最終位置）以上にガイドリング５１を反時計周りに回転させようとしても、ストッパ５１ｅが第１移動枠５４のバヨネット爪５４ａに当接して回転が規制される。
【００５１】
一方、図１２に示す状態（第１レンズ枠５３の取付け位置）からガイドリング５１を時計周りに回転させようとした場合には、ガイドリング５１と一緒に回転する第１レンズ枠５３のフランジ５３ｂが第１移動枠５４のストッパ５４ｆに当接して回転が規制される。そのため、ガイドリング５１の回転範囲は、第１移動枠５４における第１レンズ枠５３の取付け位置（図１２の状態）から階段部５４ｃの６段目の位置（図１４の状態）までの間に規制されることとなる。その結果、ガイドリング５１の余計な回転が防止され、調整作業性が向上する。
【００５２】
＜２．第２の実施の形態＞
［レンズ鏡筒における第１レンズ枠及び第１移動枠の他の構成例］
図１５は、本発明のレンズ鏡筒の一実施形態としての、デジタルスチルカメラ用のレンズ鏡筒２０（第２の実施の形態）において、第１レンズ枠６３の位置調整例（２例）を示す断面図である。
図１５に示すように、第２の実施の形態の第１移動枠６４は、第１レンズ枠６３との当接部６４ｃを備えている。また、第１レンズ枠６３は、第１移動枠６４の当接部６４ｃと当接可能に形成され、光軸２０ａ方向に５段の段差を有する階段部６３ｃを備えている。
なお、第１の実施の形態と同じ部材には、同じ符号を付している。
【００５３】
図１５に示す第２の実施の形態は、図１２から図１４に示す第１の実施の形態に対し、階段部と当接部とを反対に設けた形態となっている。このような第２の実施の形態であっても、第１レンズ枠６３は、バネ保持ボス６３ａとガイドリング５１のバネ保持部５１ａとの間に挿入された位置調整バネ５２により、第１移動枠６４に向けて付勢される。そして、ガイドリング５１を回転させることにより、第１レンズ枠６３の階段部６３ｃと第１移動枠６４の当接部６４ｃとの当接位置が変化する。そのため、第１移動枠６４に対する第１レンズ枠６３の光軸２０ａ方向の位置が調整される。
【００５４】
また、第１レンズ枠６３の調整位置にかかわらず、第１移動枠６４の移動によって第１レンズ枠６３を収納位置にしたときは、図５に示す第１の実施の形態の場合と同様に、第２移動枠５５の突起５５ａが第１レンズ枠６３に当接する。そのため、図６に示す第１レンズ枠５３と同様に、突起５５ａにより、位置調整バネ５２の付勢に抗して第１レンズ枠６３が持ち上げられる。そのため、第１レンズ群２１と第２レンズ群２２とが接触せず、第１レンズ群２１のコンパクトな収納が可能となる。
【００５５】
このように、実施形態（第１の実施の形態、第２の実施の形態）によれば、第１レンズ枠５３（又は第１レンズ枠６３）が第１移動枠５４（又は第１移動枠６４）に対して機械的に片寄せ接触し、光軸２０ａ方向の位置が調整される。そのため、高い光学的精度が保証され、組立工数及びコストの削減も可能となる。また、第１レンズ群２１のコンパクトな収納により、レンズ鏡筒２０の小型化を実現できる。
【００５６】
以上、本発明の実施形態について説明したが、本発明は、上述した実施形態に限定されることなく、以下のような種々の変形が可能である。例えば、
（１）実施形態では、撮像装置として、デジタルスチルカメラ１０を例に挙げている。しかし、これに限らず、デジタルビデオカメラやカメラ付き携帯電話等の撮像装置にも広く適用可能である
【００５７】
（２）実施形態では、第１移動枠５４（又は第１レンズ枠６３）に階段部５４ｃ（又は階段部６３ｃ）を設け、第１レンズ枠５３（又は第１レンズ枠６３）の６段階（又は５段階）の位置を調整可能としている。しかし、これに限らず、階段部の段数は、何段であってもよい。また、第１移動枠と第１レンズ枠との当接位置が変化すれば、階段部に限らない。
【００５８】
（３）実施形態では、第２レンズ群２２を保持する第２レンズ枠を第２移動枠５５とすることで、第２レンズ群２２を光軸２０ａ方向に移動可能としているが、第２撮像レンズ（第２レンズ群）は、固定されていてもよい。また、実施形態では、回転環５７の回転によって第１移動枠５４及び第２移動枠５５が移動するようになっており、回転環５７は、光軸２０ａ周りに回転するとともに、光軸２０ａ方向に移動する。しかし、回転環の回転中心の軸線は、光軸と一致しなくてもよく、回転環は、光軸方向に移動しなくてもよい。
【００５９】
（４）実施形態では、第１レンズ群２１と第２レンズ群２２との関係を例に挙げているが、これに限らず、２以上の撮像レンズがある場合に、その前後の撮像レンズの関係に広く適用できる。また、実施形態では、第２レンズ群２２は、第２移動枠５５に固定保持されているが、手ぶれ防止機能を実現するために、光軸２０ａと垂直な方向に移動可能としてもよい。例えば、第２レンズ群は、第２移動枠に対して光軸と垂直な方向に移動可能に保持されている第２レンズ枠を介して、第２移動枠に保持される形態でもよい。
【符号の説明】
【００６０】
１０  デジタルスチルカメラ（撮像装置）
２０  レンズ鏡筒
２０ａ  光軸
２１  第１レンズ群（第１撮像レンズ）
２２  第２レンズ群（第２撮像レンズ）
５１  ガイドリング
５２  位置調整バネ
５３  第１レンズ枠
５３ｃ  当接部
５４  第１移動枠（移動枠）
５４ｃ  階段部
５５  第２移動枠（第２レンズ枠）
５５ａ  突起
６３  第１レンズ枠
６３ｃ  階段部
６４  第１移動枠（移動枠）
６４ｃ  当接部
【図１】
2011138076.tif 000003
【図２】
2011138076.tif 000004
【図３】
2011138076.tif 000005
【図４】
2011138076.tif 000006
【図５】
2011138076.tif 000007
【図６】
2011138076.tif 000008
【図７】
2011138076.tif 000009
【図８】
2011138076.tif 000010
【図９】
2011138076.tif 000011
【図１０】
2011138076.tif 000012
【図１１】
2011138076.tif 000013
【図１２】
2011138076.tif 000014
【図１３】
2011138076.tif 000015
【図１４】
2011138076.tif 000016
【図１５】
2011138076.tif 000017